(57)【特許請求の範囲】
【請求項１】
複数の素材データ、並びに前記複数の素材データの各素材データ毎の記録領域の開始位置、該記録領域の終了位置、及び前記開始位置から前記終了位置までの時間で表わされる収録時間を含む収録情報を記憶したサーバと、
前記サーバに接続され、前記サーバに記憶された各素材データの少なくとも一部分のデータが送出されるように切替えられるスイッチャーと、
送出開始時点及び該送出開始時点から送出終了時点までの時間で表わされるデュレーションを含む送出情報を放送対象の素材データ毎に放送順に格納した番組リストを記憶した記憶手段と、
前記番組リストの素材データ毎に、前記収録情報及び前記送出情報に基づいて、放送用のデータが放送順に送出されるように前記サーバ及び前記スイッチャーを制御する放送用制御手段と、
前記スイッチャーに接続され、入力されたデータに基づいて画像を表示する表示手段と、
を含む放送データ送出システムにおける放送データ送出シミュレータであって、
シミュレーション指示が入力された際に、シミュレーションの対象となる前記番組リストの素材データ毎に、前記収録情報及び前記送出情報に基づいて、該素材データの前記送出開始時点に対応する位置から所定時間経過するまでのデータ、及び前記デュレーションの終了時点に対応する位置から所定時間前までのデータが放送順に送出され、前記表示手段に入力されるように、前記サーバ及び前記スイッチャーを制御するシミュレーション用制御手段
を含む放送データ送出シミュレータ。
【請求項２】
前記シミュレーション用制御手段は、放送指示が入力された際に、前記放送用制御手段に代わって、前記番組リストの素材データ毎に、前記収録情報及び前記送出情報に基づいて、放送用のデータが放送順に送出されるように前記サーバ及び前記スイッチャーを制御する請求項１記載のデータ送出シミュレータ。
【発明の詳細な説明】
【技術分野】
【０００１】
本発明は、データ送出シミュレータに係り、特に、放送データ送出システムにおけるデータ送出シミュレータに関する。
【背景技術】
【０００２】
従来より、オンエア番組情報とその番組管理情報に含まれる記録領域の開始位置と終了位置、収録時間の情報を取得し、少なくとも開始位置後、終了位置前の一定期間を再生箇所として指定して、番組サーバからオンエア番組を順次再生させ、表示装置にモニタ表示させるプレビュー機能を有する放送番組送出システムが知られている（特許文献１）。
【先行技術文献】
【特許文献】
【０００３】
【特許文献１】特開２００５−２４４７１３号公報
【発明の概要】
【発明が解決しようとする課題】
【０００４】
しかしながら、上記の特許文献１に記載の技術では、プレビュー機能として、オンエア番組の記録領域の開始位置後の一定期間と記録領域の終了位置前の一定期間とを再生しており、オンエア番組情報に基づく番組の切り替えを行っていないため、番組の切り替え時の連続性を確認することができない、という問題がある。
【０００５】
本発明は、上記の問題点を解決するためになされたもので、番組リストに基づいて放送したときの番組の切り替え時の連続性を短時間でシミュレーションすることができる放送データ送出シミュレータを提供することを目的とする。
【課題を解決するための手段】
【０００６】
上記の目的を達成するために本発明に係る放送データ送出シミュレータは、複数の素材データ、並びに前記複数の素材データの各素材データ毎の記録領域の開始位置、該記録領域の終了位置、及び前記開始位置から前記終了位置までの時間で表わされる収録時間を含む収録情報を記憶したサーバと、前記サーバに接続され、前記サーバに記憶された各素材データの少なくとも一部分のデータが送出されるように切替えられるスイッチャーと、送出開始時点及び該送出開始時点から送出終了時点までの時間で表わされるデュレーションを含む送出情報を放送対象の素材データ毎に放送順に格納した番組リストを記憶した記憶手段と、前記番組リストの素材データ毎に、前記収録情報及び前記送出情報に基づいて、放送用のデータが放送順に送出されるように前記サーバ及び前記スイッチャーを制御する放送用制御手段と、前記スイッチャーに接続され、入力されたデータに基づいて画像を表示する表示手段と、を含む放送データ送出システムにおける放送データ送出シミュレータであって、シミュレーション指示が入力された際に、シミュレーションの対象となる前記番組リストの素材データ毎に、前記収録情報及び前記送出情報に基づいて、該素材データの前記送出開始時点に対応する位置から所定時間経過するまでのデータ、及び前記デュレーションの終了時点に対応する位置から所定時間前までのデータが放送順に送出され、前記表示手段に入力されるように、前記サーバ及び前記スイッチャーを制御するシミュレーション用制御手段を含んで構成されている。
【０００７】
本発明によれば、放送用制御手段によって、前記番組リストの素材データ毎に、前記収録情報及び前記送出情報に基づいて、放送用のデータが放送順に送出されるように前記サーバ及び前記スイッチャーを制御する。
【０００８】
放送データ送出シミュレータにおいて、シミュレーション用制御手段によって、シミュレーション指示が入力された際に、シミュレーションの対象となる前記番組リストの素材データ毎に、前記収録情報及び前記送出情報に基づいて、該素材データの前記送出開始時点に対応する位置から所定時間経過するまでのデータ、及び前記デュレーションの終了時点に対応する位置から所定時間前までのデータが放送順に送出され、前記表示手段に入力されるように、前記サーバ及び前記スイッチャーを制御する。
【０００９】
このように、シミュレーションの対象となる番組リストの素材データ毎に、送出開始時点に対応する位置から所定時間経過するまでのデータ、及びデュレーションの終了時点に対応する位置から所定時間前までのデータが放送順に送出され、表示手段に表示されるため、番組リストに基づいて放送したときの番組の切り替え時の連続性を短時間でシミュレーションすることができる。
【００１０】
本発明に係るシミュレーション用制御手段は、放送指示が入力された際に、前記放送用制御手段に代わって、前記番組リストの素材データ毎に、前記収録情報及び前記送出情報に基づいて、放送用のデータが放送順に送出されるように前記サーバ及び前記スイッチャーを制御するようにすることができる。
【発明の効果】
【００１１】
以上説明したように、本発明の放送データ送出シミュレータによれば、シミュレーションの対象となる番組リストの素材データ毎に、送出開始時点に対応する位置から所定時間経過するまでのデータ、及びデュレーションの終了時点に対応する位置から所定時間前までのデータが放送順に送出され、表示手段に表示されるため、番組リストに基づいて放送したときの番組の切り替え時の連続性を短時間でシミュレーションすることができる、という効果が得られる。
【図面の簡単な説明】
【００１２】
【図１】本発明の実施の形態に係る放送データ送出システムを示すブロック図である。
【図２】番組リストの内容を示す図である。
【図３】ＡＰＣの構成を示すブロック図である。
【図４】シミュレーションにおいてプレビュー表示されるデータを説明するための図である。
【図５】本発明の実施の形態に係るＡＰＣにおけるシミュレーション処理ルーチンの内容を示すフローチャートである。
【図６】シミュレーション結果を示す図である。
【発明を実施するための形態】
【００１３】
以下、図面を参照して、本発明の好適な実施の形態について説明する。
【００１４】
図１に示すように、本発明の実施の形態に係る放送データ送出システム１０は、オンエア用の放送番組の素材データを記憶した送出サーバ１２と、スタジオ映像カメラ１４と、文字放送送出装置１６と、お天気カメラ１８と、オンエア出力を、送出サーバ１２、スタジオ映像カメラ１４、文字放送送出装置１６、及びお天気カメラ１８の何れかの出力に切替えるスイッチャー２０と、送出サーバ１２及びスイッチャー２０を制御して、番組リストに応じて番組を送出させると共に、番組リストに応じた番組送出のシミュレーションを行う自動番組送出装置（ＡＰＣ）２２と、スイッチャー２０に接続され、プレビュー表示を行うための表示装置２４とを備えている。なお、ＡＰＣ２２は、記憶手段、放送用制御手段、及びシミュレーション用制御手段の一例である。
【００１５】
送出サーバ１２は、予めオンエア用の放送番組の素材データを記憶しており、ＡＰＣ２２から与えられるオンエア指示信号に応じて、該当する素材データを選択的にスイッチャー２０へ出力する。この素材データは、デコーダ（図示省略）によりビデオ信号にデコードされてスイッチャー２０に導かれ、選択的にオンエア出力される。
【００１６】
送出サーバ１２は、素材データと共に、各素材データ毎の記録領域の開始位置、該記録領域の終了位置、及び開始位置から終了位置までの時間で表わされる収録時間を含む収録情報をデータ管理情報として記憶している。
【００１７】
スタジオ映像カメラ１４は、スタジオで撮影している映像を、スイッチャー２０へ出力し、スイッチャー２０により選択的にオンエア出力される。
【００１８】
文字放送送出装置１６は、入力されたオンエア指示に応じて、文字放送用の映像信号を発生させてスイッチャー２０へ出力し、スイッチャー２０により選択的にオンエア出力される。
【００１９】
お天気カメラ１８は、撮影している映像を、スイッチャー２０へ出力し、スイッチャー２０により選択的にオンエア出力される。
【００２０】
スイッチャー２０は、送出サーバ１２、スタジオ映像カメラ１４、文字放送送出装置１６、お天気カメラ１８、及びＡＰＣ２２に接続されており、送出サーバ１２のデコーダからのビデオ信号、スタジオ映像カメラ１４からの映像信号、文字放送送出装置１６からの映像信号、及びお天気カメラ１８からの映像信号を入力として、ＡＰＣ２２からの切替制御信号に応じて、選択的にオンエア出力する。
【００２１】
また、スイッチャー２０は、表示装置２４に更に接続されており、送出サーバ１２のデコーダからのビデオ信号を入力として、ＡＰＣ２２からのプレビュー切替制御信号に応じて、選択的に表示装置２４へ出力する。
【００２２】
図３に示すように、ＡＰＣ２２は、コンピュータによって構成されており、ＣＰＵ（Central Processing Unit）４０、ＲＯＭ（Read Only Memory）４２、ＲＡＭ（Random Access Memory）４４、ＨＤＤ（Hard Disk Drive）４６、ＨＤＤコントローラ４８、マウス５０、キーボード５２、ディスプレイ５４、入出力コントローラ５６およびネットワークコントローラ５８がバス６０によって接続された構成となっている。
【００２３】
ＡＰＣ２２では、オペレータによるマウス５０及びキーボード５２の操作により、図２に示すような番組リストが作成され、作成された番組リストがＡＰＣ２２に記憶される。番組リストでは、各素材データを含む番組毎に、送出開始時刻と、送出開始時刻から送出終了時刻までの時間で表わされるデュレーションと、番組タイトルと、送出サーバ１２、スタジオ映像カメラ１４、文字放送送出装置１６、及びお天気カメラ１８の何れの出力を入力とするかを示す入力ポート、キューアップ（素材データの送出開始時点）などの送出情報が格納されている。
【００２４】
ＡＰＣ２２は、オペレータによるマウス５０及びキーボード５２の操作によりオンエア対象の番組リストが指定されると共に、放送指示が入力されると、制御部により、当該番組リストを読みこみ、番組リストの送出情報、及び送出サーバ１２の収録情報に基づいて、送出サーバ１２及びスイッチャー２０を制御して、番組リストの番組毎に、放送用のデータが放送順にオンエア出力されるように制御する。
【００２５】
具体的には、番組リストが示す入力ポートに基づいて、スイッチャー２０に対して切替制御信号を出力し、入力となる放送用のデータを選択する。番組リストの入力ポートが「サーバ」である場合には、送出開始時刻に合わせて、送出サーバ１２に記憶された当該番組の素材データを、キューアップが示す位置からスイッチャー２０へ出力するように送出サーバ１２を制御する。また、番組リストが示すデュレーションに基づいて、送出開始時刻から、デュレーションが示す時間だけ経過した時に、次の番組の入力ポートの情報に基づいて、スイッチャー２０に対して切替制御信号を出力して、次の入力となる放送用のデータを選択するように制御する。
【００２６】
ＡＰＣ２２では、オペレータによるマウス５０及びキーボード５２の操作により、ＡＰＣ２２に記憶された番組リストをシミュレーション対象として指定すると共に、シミュレーション指示を入力すると、シミュレーション部は、指定された番組リストを取得する。
【００２７】
ＡＰＣ２２のシミュレーション部は、取得したシミュレーション対象の番組リストの、番組リストの送出情報、及び送出サーバ１２の収録情報に基づいて、送出サーバ１２及びスイッチャー２０を制御して、番組リストの番組毎に、シミュレーション用のデータが放送順に表示装置２４へ出力されるように制御する。
【００２８】
具体的には、シミュレーション部は、番組リストが示す番組の入力ポートに基づいて、スイッチャー２０に対してプレビュー切替制御信号を出力し、入力となるデータを選択する。番組リストの該当する番組の入力ポートが「サーバ」である場合には、送出サーバ１２に記憶された素材データを、キューアップが示す位置ＩＮから一定時間分、スイッチャー２０へ出力するように送出サーバ１２を制御する。また、シミュレーション部は、番組リストが示すデュレーションに基づいて、キューアップが示す位置ＩＮから、デュレーションが示す時間ＤＵＲを足した終了位置（ＩＮ＋ＤＵＲ）より前の一定時間分を、スイッチャー２０へ出力するように送出サーバ１２を制御する。終了位置より前の一定時間分を出力すると、シミュレーション部は、番組リストの次の番組の入力ポートの情報に基づいて、スイッチャー２０に対してプレビュー切替制御信号を出力して、次の入力となるデータを選択するように制御する。
【００２９】
番組リストの番組の入力ポートが「サーバ」以外である場合には、シミュレーション部は、スイッチャー２０に対してプレビュー切替制御信号を出力して、入力となるデータを選択するのみであり、所定時間経過後に、シミュレーション部は、番組リストの該当する番組の入力ポートに基づいて、スイッチャー２０に対してプレビュー切替制御信号を出力して、次の入力となるデータを選択するように制御する。
【００３０】
これによって、図４に示すように、番組リストの放送順に、番組毎に、素材データの開始位置から一定時間分、及び終了位置より前の一定時間分が連続して表示される。また、番組のデータが、スタジオ映像カメラ１４、文字放送送出装置１６、及びお天気カメラ１８からの出力である場合には、スイッチャー２０による切り替えのみが行われる。
【００３１】
次に、本実施の形態に係る放送データ送出システム１０の動作について説明する。まず、ＡＰＣ２２において、オペレータのマウス５０及びキーボード５２の操作により、番組リストが作成されて、番組リストが記憶される。そして、オペレータが、ＡＰＣ２２のマウス５０及びキーボード５２を操作して、ＡＰＣ２２に記憶された番組リストをシミュレーション対象として指定すると共に、シミュレーション指示を入力すると、ＡＰＣ２２のシミュレーション部によって、図５に示すシミュレーション処理ルーチンが実行される。
【００３２】
ステップ１００において、シミュレーション対象として指定された番組リストを読み込む。そして、ステップ１０２において、上記ステップ１００で取得した番組リストから、放送順に、プレビュー対象の番組を設定する。ステップ１０４では、プレビュー対象の番組の入力ポートの情報に基づいて、スイッチャー２０に対してシミュレーション切替制御信号を出力して、スイッチャー２０の入力となるデータを切替える。
【００３３】
そして、ステップ１０６において、送出サーバ１２の制御が必要か否かを判定する。プレビュー対象の番組の入力ポートが、送出サーバ１２からの出力である場合には、送出サーバ１２の制御が必要であると判断し、ステップ１０８へ進む。
【００３４】
ステップ１０８では、プレビュー対象の番組のキューアップ（送出開始時点）の情報、及び送出サーバ１２に記憶されている収録情報における記録領域の開始位置に基づいて、送出サーバ１２から、プレビュー対象の番組の素材データの開始点を検索し、送出開始点ＩＮとして設定する。そして、ステップ１１０において、上記ステップ１０８で設定された送出開始点ＩＮから、プレビュー対象の番組の素材データを５秒間分だけスイッチャー２０へ出力するように送出サーバ１２を制御して、表示装置２４において５秒間だけ再生させる。
【００３５】
次のステップ１１２では、上記ステップ１０８で設定された送出開始点ＩＮ、及びデュレーションの情報ＤＵＲに基づいて、プレビュー対象の番組の素材データの送出終了点（ＩＮ＋ＤＵＲ）を検索し、送出終了点として設定する。そして、ステップ１１４において、上記ステップ１１２で送出終了点にデータがあったか否かを判定する。送出終了点にデータがなく、送出終了点の検索が失敗していた場合には、ステップ１１６において、シミュレーション対象の番組について、素材データが正常に送出されないことを示す警告情報を記録する。
【００３６】
一方、上記ステップ１１４において、送出終了点にデータがあり、送出終了点の検索が成功していた場合には、設定された送出終了点より５秒前の位置（ＩＮ＋ＤＵＲ−５ｓｅｃ）から、プレビュー対象の番組の素材データを５秒間分だけスイッチャー２０へ出力するように送出サーバ１２を制御して、表示装置２４において５秒間だけ再生させる。
【００３７】
ステップ１０６において、送出サーバ１２の制御が必要か否かを判定する。プレビュー対象の番組の入力ポートが、送出サーバ１２からの出力である場合には、送出サーバ１２の制御が必要であると判断し、ステップ１０８へ進む。
【００３８】
また、上記ステップ１０６において、プレビュー対象の番組の入力ポートが、スタジオ映像カメラ１４、文字放送送出装置１６、又はお天気カメラ１８からの出力である場合には、送出サーバ１２の制御が必要ないと判断し、ステップ１２０へ進む。
【００３９】
そして、ステップ１２０では、番組リストの全番組について、上記ステップ１０２〜ステップ１１８の処理を実行したか否かを判定し、上記ステップ１０２〜ステップ１１８の処理を実行していない番組が存在する場合には、上記ステップ１０２において、現時点のシミュレーション対象の番組の次の番組を、シミュレーション対象として設定して、上記ステップ１０２〜ステップ１１８の処理を繰り返し実行する。一方、番組リストの全番組について、上記ステップ１０２〜ステップ１１８の処理を実行した場合には、ステップ１２２へ移行し、図６に示すような、各番組毎に、正常に送出されたか否かを示す評価情報を含むシミュレーション結果を表わす画面を、スイッチャー２０を介して表示装置２４へ表示させるように制御し、シミュレーション処理ルーチンを終了する。
【００４０】
オペレータは、表示装置２４に表示されたプレビュー表示を確認して、番組リストの番組の切替え部分の連続性を確認し、切り替え部分に異常がある場合には、ＡＰＣ２２において、当該番組リストの内容を修正する。また、表示装置２４においてシミュレーション結果を表わす画面を確認し、警告情報が記録されている番組がある場合には、ＡＰＣ２２において、当該番組リストの内容を修正する。
【００４１】
そして、プレビュー表示やシミュレーション結果に異常がなく、番組リストの内容が正しいことが確認できた場合には、ＡＰＣ２２の制御部によって、当該番組リストに基づいて、送出サーバ１２及びスイッチャー２０を制御して、番組リストの各番組毎に、放送用データがオンエア出力される。
【００４２】
また、ＡＰＣ２２の制御部が正常に動作しない場合には、ＡＰＣ２２に、オペレータによるマウス５０及びキーボード５２の操作によりオンエア対象の番組リストが指定されると共に、放送指示が入力されると、シミュレーション部が、オンエア対象の番組リストを読みこみ、制御部と同様に、番組リストの送出情報、及び送出サーバ１２の収録情報に基づいて、送出サーバ１２及びスイッチャー２０を制御して、番組リストの番組毎に、放送用のデータが放送順にオンエア出力されるように制御する。
【００４３】
これによって、ＡＰＣ２２の制御部が正常に動作しない場合であっても、制御部に代わって、シミュレーション部が、番組リストに応じたオンエア出力を行うことができる。
【００４４】
以上説明したように、本実施の形態に係る放送データ送出システムによれば、シミュレーションの対象となる番組リストの番組の素材データ毎に、送出開始時点に対応する位置から一定時間経過するまでのデータ、及びデュレーションの終了時点に対応する位置から一定時間前までのデータが放送順に送出され、表示装置にプレビュー表示されるため、番組リストに基づいて放送したときの番組の切り替え時の連続性を短時間でシミュレーションすることができる。
【００４５】
また、番組リストに基づいて放送したときの番組の切り替えを事前に確認できるため、番組リストの誤りによる放送時のエラーを防ぐことができる。例えば、番組リストに基づいて放送したときのクリップ長不足による黒味送出を防ぐことができる。
【００４６】
また、従来のシステム構成を流用して放送データ送出システムを構成できるため、低コストでシステム構成を構築することができる。
【００４７】
また、上記の実施の形態では、ＡＰＣの制御部を用いて、放送データ送出システムを構成する場合を例に説明したが、これに限定されるものではなく、ＡＰＣの制御部を用いずに、ＡＰＣを構成するようにしてもよい。この場合には、シミュレーション部によって、放送のシミュレーションを行うと共に、オンエア時の制御を行うようにすればよい。これによって、更に低コストでシステム構築が可能となる。
【符号の説明】
【００４８】
１０   放送データ送出システム
１２   送出サーバ
１４   スタジオ映像カメラ
１６   文字放送送出装置
１８   天気カメラ
２０   スイッチャー
２２   ＡＰＣ
２４   表示装置
【図１】
0005383761.tif 000002
【図２】
0005383761.tif 000003
【図３】
0005383761.tif 000004
【図５】
0005383761.tif 000005
【図６】
0005383761.tif 000006
【図４】
0005383761.tif 000007